【事件の表示】
平成　４年特許願第　１１７８８号「記録再生装置」拒絶査定に対する審判事件［　平成　６年１１月１５日出願公開、特開平　６−３１８３０４                        ］について、次のとおり審決する。
【結　論】
　本件審判の請求は、成り立たない。
【理　由】
 １．本願発明
　　本願は、特願昭５７−７６９３０号の分割出願として出願された、昭和57年5月7日の出願であって、その発明は、平成１０年11月2４日付けの手続補正書により補正された明細書及び図面の記載からみて、「信号の時間軸変換や波形補正を安定に行う安価な記録再生装置を提供する」ことを目的とし、その効果を「本発明によれば、入力された信号をデジタル信号データに変換するADコンバータと、前記ADコンバータの出力信号データを第１のアドレスカウンタにより第１のタイミングで取り込む第１メモリと、前記第１メモリの信号データを転送し第２のアドレスカウンタにより第２のタイミングで読み出すようにした第２のメモリとを備え、ADコンバータでデジタル信号データにして以後の処理を行い、第１のメモリへの取り込み動作と第２のメモリの読み出し動作を異なるタイミングで独立して行うことができ、同時に並行処理することができるので、静止画像およびスロースキャン映像等を低密度の記録媒体へ記録再生するに際し、極めて低速かつ低振幅で非線形歪をともなう媒体の再生信号の時間軸変換や波形補正を安定に行う安価な記録再生装置を提供することができる。」とするもので、その発明の要旨は、特許請求の範囲の請求項１に記載された次のとおりのもの（以下、「本願発明」という。）と認める。
「【請求項１】入力された信号をデジタル信号データに変換するＡＤコンバータと、前記ＡＤコンバータの出力信号データを第１のアドレスカウンタにより第１のタイミングで取り込む第１のメモリと、前記第１のメモリの信号データを転送し第２のアドレスカウンタにより第２のタイミングで読み出すようにした第２のメモリとを備え、前記第１のメモリへの取り込み動作と前記第２のメモリの読み出し動作を異なるタイミングで独立して同時並行処理するように構成したことを特徴とする記録再生装置。」
　
２．刊行物記載発明
　原査定の拒絶の理由に引用された特開昭５６−１４０７７８号公報(以下、「引用例１」という。)には、「ディスク当たりの格納フイールド数を増大することができるテレビジョン信号記録再生装置を提供する」目的で、「第２図は本発明装置の要部構成図を示したものである。図において（Ｓ１）、（Ｓ２）は録再切替スイッチでその機能は第１図と同じである。（１１）はテレビジョン信号を導入する入力端子、（１２）は記録時この入力端子（１１）からのテレビジョン信号を受けそれを記億するバツフアメモリである。このバツフアメモリ（１２）はテレビジョン信号をデイジタル化するＡ／Ｄ変換器（１３）の出力を受けるＲＡＭであり、このＲＡＭはその内容を記録時には２７分の１のスピードで読み出すことができるように構成されていて、その出力としてテレビジョン信号を時間軸伸長するように走査変換してなる変換テレビジヨン信号を導出するようにしている。（１４）はバッファメモリ（ＲＡＭ）の出力をアナログ化するＤ／Ａ変換器、（１５）は上記変換テレビジョン信号を周波数変調する手段、（１６）はこの変調手段の出力を格納するフロッピーデイスクドライブ手段である。」（第２頁左下欄第３〜１９行)とする発明が記載されている。
　同じく原査定の拒絶の理由に引用された特開昭５６−４０３７２号公報(以下、「引用例２」という。)には、「この発明は・・、映像信号を電荷転送素子に供給してこれを一時記憶素子として使用し、そしてこれより帯域が伸長された映像信号を得ることができるようにしたものである。」（第１頁左下欄第１３〜２０行）、第2図に電荷転送素子を一時記値素子として使用するときの映像信号処理装置の説明図が示され、その映像信号処理装置に関連して、「電荷転送素子（１０）を一時記億素子として使用する場合には、第１及び第２の垂直シフトレジスタ（２）、（３）ともに記憶部として使用される。　・・・そして、入力レジスタ１の増子１ａに帯域圧縮された再生映像信号Ｓｓが供給され、入力レジスタ１にはｆｃ／Ｎの書込みクロツクが供給されて、第１の垂直シフトレジスタ２に書込まれる。第１の垂直シフトレジスタ２に１フレーム分の映像信号Ｓｓを書込んだのち、この内容は第２の垂直シフトレジスタ３に転送される。
　第２の垂直シフトレジスタ（３）に１フレーム分の映像信号Ｓｓが転送されたのちは、１水平ラインごとに出力レジスタ（５）に転送されて通常の読出しクロツクにて読出される。すなわち、クロツク周波数はｆｃである。従って、出力レジスタ（５）から読された映像信号は元通りの帯域に伸長される。１フレーム分の映像信号は１／３０秒で読出されるから、モニタ（２０）にて例えば静止画として再現するには読出されたこの映像信号が再び利用される。・・・このような書込み動作が所定の期間だけ連続的に行なわれることによつて、一定の期間に亘つて静止画像を映出することができる。」(第２頁左上欄第１４行〜左下欄第２行)とする発明が記載されている。
３．対比
　　そこで、本願発明と引用例１記載発明とを対比するに、引用例１記載発明における「Ａ／Ｄ変換器（１３）」、「バッファメモリ（１２）」、「テレビジョン信号記録再生装置」は本願発明における「ＡＤコンバータ」、「メモリ」、「記録再生装置」に相当するから、
　両者は、「「入力された信号をデジタル信号データに変換するＡＤコンバータと、前記ＡＤコンバータの出力信号を」「第１のタイミングで取り込」み「第２のタイミングで読み出すようにした」「メモリとを備え、」「取り込み動作と」「読み出し動作を異なるタイミングで独立して」「処理するように構成した」「記録再生装置」」である点で一致し、
（１）本願発明においては、メモリが、ＡＤコンバータの出力信号データを第１のアドレスカウンタにより第１のタイミングで取り込む第１のメモリと、前記第１のメモリの信号データを転送し第２のアドレスカウンタにより第２のタイミングで読み出すようにした第２のメモリとから構成し、前記第１のメモリへの取り込み動作と前記第２のメモリの読み出し動作を同時並行処理するように構成しているのに対し、引用例１記載発明においては、メモリが一段のバッファメモリで構成されている点、で相違する。
　
４．判断
　映像信号データを第１のタイミングで第１のメモリに相当する第１の垂直シフトレジスタに取り込み、その内容を第２のメモリに相当する第２の垂直シフトレジスタに転送し、該第２の垂直シフトレジスタの内容を第２のタイミングで読み出すようにして、もつて映像信号の速度変換を行うようにすることは、引用例２に記載されている。
　そして、引用例２記載発明は、第１の垂直シフトレジスタにデータを取り込むタイミングよりも第２の垂直シフトレジスタからデータを読み出すタイミングの方を速くして、高速変換して、高速の出力を得るようにしているが、速度変換していることには変わりない。
　また、直列接続された２メモリの同時並行処理に関する技術思想は、例えば特開昭５６−２５２１１号公報に示されるように、周知事項である。
　さらに、引用例２記載発明の垂直シフトレジスタは、第１と第２の２つに分かれていることから、同時並行処理が可能であること構造上自明である。
　また、アドレスカウンタによって読み出しおよび取り込みアドレス信号を形成することは、例えば特開昭５７−３４８０号公報に示されるように、周知事項である。
　してみれば、上記相違点（１）は、上記引用例２記載発明および上記周知事項に基づいて当業者が容易に発明をすることができたものといえる。
５．むすび
　以上のとおりであるから、本願請求項１記載の発明は、上記引用例１，２に記載された発明および上記周知事項に基づいて当業者が容易に発明をすることができたものであるから、特許法第２９条第２項の規定により特許を受けることができない。
　　よって、結論のとおり審決する。